(57)【要約】【課題】ナイフアジャストと差動調整ハンドルを手で回すだけで迅速かつ正確に調整できるため、圃場内の条件にこまめに対応することが可能となり、労働時間の短縮および収量増による経済効果が大きいなどの効果を有する根菜茎葉処理装置の切断厚さ調整装置の提供を目的とする。【解決手段】ナイフアジャストの回動による後のロットネジの伸縮とストッパーピン先端部分がナイフアジャストの溝に挿入され回り止めとなることの複合作用で、フィーラホイールと切断刃の間隔の迅速な調整が可能であり、前のロットネジに直交に連結された前方端軸に螺合されたハンドル付きスクリューを回動させ、後方機枠に開設された縦長穴をスライドさせることで、差動変位を無段階に調整できるように構成されている。【選択図】        図１
2004329044.tif 000002
【特許請求の範囲】
【請求項１】
前のロットネジ（５Ｃｌ）およびこれと一体となった箱金（５Ｃ２）と、箱金（５Ｃ２）に内設されたコイルスプリング（５Ｃ３）と、箱金（５Ｃ２）とコイルスプリング（５Ｃ３）を貫通し、コイルスプリング（５Ｃ３）に対し垂直にこれを張設する突起（５Ｃ４１）のついたハンドル付きストッパーピン（５Ｃ４）と、前のロットネジ（５Ｃｌ）に回動自在の状態で貫通され、等角度間隔にハンドル付きストッパーピンの先端（５Ｃ４２）が入る溝（５Ｃ５４）が複数開けられたナイフアジャスト（５Ｃ５）と、ナイフアジャスト（５Ｃ５）に対して進退自在に螺合された後のロットネジ（５Ｃ６）から構成されている調整機構（５Ｃ）において、前のロットネジ（５Ｃｌ）の先端には当該前のロットネジの長手方向とは直交状態で前方端軸（５Ｅ）が連結され、後のロットネジ（５Ｃ６）は、第２揺動梃（４Ｆｌ）の上端に後方上軸（４Ｈ３）と平行な後方端軸（５Ｄ）で連結されていることを特徴とする根菜茎葉処理装置の切断厚さ調整装置。
【請求項２】
前のロットネジ（５Ｃｌ）およびこれと一体となった箱金（５Ｃ２）と、箱金（５Ｃ２）に内設されたコイルスプリング（５Ｃ３）と、箱金（５Ｃ２）とコイルスプリング（５Ｃ３）を貫通し、コイルスプリング（５Ｃ３）に対し垂直にこれを張設する突起（５Ｃ４１）のついたハンドル付きストッパーピン（５Ｃ４）と、前のロットネジ（５Ｃｌ）に回動自在の状態で貫通され、等角度間隔にハンドル付きストッパーピンの先端（５Ｃ４２）が入る溝（５Ｃ５４）が複数開けられたナイフアジャスト（５Ｃ５）と、ナイフアジャスト（５Ｃ５）に対して進退自在に螺合された後のロットネジ（５Ｃ６）から構成されている調整機構（５Ｃ）において、前のロットネジ（５Ｃｌ）の先端には当該前のロットネジの長手方向とは直交状態で前方端軸（５Ｅ）が連結され、前方端軸（５Ｅ）における外方部分（５Ｅｌ）は縦長穴（５Ａ３）を貫通して外方端には締付ハンドル（５Ｅｌｌ）が螺合され、内方部分（５Ｅ２）にはハンドル付きスクリュー（５Ｅ４）が螺合され、後のロットネジ（５Ｃ６）は、第２揺動梃（４Ｆｌ）の上端に後方上軸（４Ｈ３）と平行な後方端軸（５Ｄ）で連結されていることを特徴とする根菜茎葉処理装置の切断厚さ調整装置。
【請求項３】
調整機構は、前後方向に進退調整自在に構成されている請求項１あるいは請求項２記載の根菜茎葉処理装置の切断厚さ調整装置。
【請求項４】
箱金（５Ｃ２）は、略コ字形に構成され、後方縦辺には凹部分（５Ｃ２３）を中心として上下の段差（５Ｃ２１、５Ｃ２２）が形成され、前方縦辺と凹部分（５Ｃ２３）の中心には前後のストッパーピン挿通孔が開設され、コイルスプリング（５Ｃ３）は、箱金（５Ｃ２）内における前後のストッパーピン挿通孔間に配設され、ハンドル付きストッパーピン（５Ｃ４）は、前のストッパーピン挿通孔、コイルスプリング（５Ｃ３）、後のストッパーピン挿通孔を貫通して先端（５Ｃ４２）が箱金（５Ｃ２）より突出する状態で装着されていると共に、当該ハンドル付きストッパーピン（５Ｃ４）の後方部分には、コイルスプリング（５Ｃ３）が上下の段差（５Ｃ２１、５Ｃ２２）の内側までに圧縮した位置で上下の段差に係脱する棒状の突起（５Ｃ４１）が取付けられており、ハンドル付きストッパーピン（５Ｃ４）を回動させて棒状の突起（５Ｃ４１）を上下の段差（５Ｃ２１、５Ｃ２２）から脱すると、コイルスプリング（５Ｃ３）の張力によって棒状の突起（５Ｃ４１）が箱金の凹部分（５Ｃ２３）に貫入し、ストッパーピンの先端（５Ｃ４２）がナイフアジャスト（５Ｃ５）の円盤体（５Ｃ５１）に圧接され、この状態でナイフアジャストを回動させると、ストッパーピンの先端（５Ｃ４２）がナイフアジャストの溝（５Ｃ５４）に貫入し、回り止めとなるように構成されたことを特徴とする請求項１あるいは請求項２記載の根菜茎葉処理装置の切断厚さ調整装置。
【発明の詳細な説明】
【０００１】
【発明の属する技術分野】
本発明は、新規な構成を有する甜菜などの根菜の茎葉処理装置における切断厚さ調整装置に関するものである。
【０００２】
【従来の技術】
従来、この種のものにあっては、下記のようなものになっている。
甜菜などは、根部の掘り取り以前に圃場において茎葉を頚冠部より切断刃で切断し、茎葉部と根部に分離する。
このとき、根菜根頚部の地上露出高が不同で、その切断は露出の高さに順応した切断厚さで切断できる機構が求められていた。
従来、切断厚さの調整は切断刃取り付けプレートの前後移動で行い、その移動は、フィーラホイールフレームに軸止穴が２〜３ケ所設けてあり、ボルト、ナットの入れ替えで移動調整をする。
また、切断刃の上下調整は取り付けブラケットのセットボルトの締付で行っている。
さらに、リンク機構を利用して切断刃の差動変位と間隔の調整を無段階に行うことの出来る機構について、先に本発明者等は発明（「特許文献１」参照）した。
【０００３】
【特許文献１】
特許第２６５２６１７号公報
【０００４】
【発明が解決しようとする課題】
従来の技術で述べたものにあっては、下記のような問題点を有していた。
切断刃取り付けプレートの前後の移動は、フィーラホイールフレームに設けた一定間隔の軸止穴へのボルト、ナットの入れ替えで行うため、圃場において迅速な取り付けプレートの移動と移動に伴う再調整を行うのは困難であり、その圃場に適した調整を行わず使用することが多い。
上記特許文献１の機構では、切断厚さ調整時に工具を必要とするため時間がかかり、ターンバックルのボルト締結の際、両側から締結しなければならないため、相互の締付の力加減で調整位置がずれてしまうという問題があった。
また、上述の機構では、切断厚さの調整が無段階であるため、調整の基準があいまいであり、ナイフとフィーラホイールの隙間を測定しながら調整をする必要があった。
【０００５】
本発明は、従来の技術の有するこのような問題点に鑑みなされたものであり、その目的とするところは、上述の問題を解決できるものを提供しようとするものである。
【０００６】
【課題を解決するための手段】
上記目的を達成するために、本発明は下記のようになるものである。
すなわち、本発明のものは、走行部２と、茎葉処理部３と、切断刃部４と、支持高さ調整部５とから構成され、走行部２は進行方向である前方に対して垂直に起立されたトップリンクマスト２Ａと、このトップリンクマストの下端に斜め下方に向け連結された車輪用フレーム２Ｂと、この車輪用フレームの後端に取付けられた車輪２Ｃとから構成されている。
茎葉処理部３は、トップリンクマスト２Ａの側方位置をもって当該トップリンクマストと平行に連結支持された機枠３Ａと、機枠３Ａの上方位置をもって進行方向とは直交方向の上方軸３Ｃで揺動自在に支持されたフィーラホイールフレーム３Ｄと、このフィーラホイールフレームに上方軸と平行なフィーラホイール軸で支持されたフィーラホイール３Ｅとから構成されている。
切断刃部４は、機枠３Ａの下方位置に上方軸３Ｃと平行な下方軸４Ａで揺動自在に支持されたリンク桿４Ｂと、フィーラホイールフレーム３Ｄにフィーラホイール軸と同芯位置のブラケット軸４Ｄで支持されている縦ブラケット４Ｃと、この縦ブラケットの前面に平行な状態で配されたビーム４Ｅと、これらを連結する上方の第１揺動梃４Ｆと下方のアーム４Ｇとは、前方上軸４Ｈ１、前方下軸４Ｈ２、後方上軸４Ｈ３、後方下軸４Ｈ４で連結され、さらに、後方下軸４Ｈ４はリンク桿４Ｂの後端と連結され、ビーム４Ｅの下端には切断刃取付部４Ｅ２を介して切断刃４Ｅ１が取付けられている。
支持高さ調整部５は、機枠３Ａの後方面に連設された後方機枠５Ａと、上方の第１揺動梃４Ｆに斜め上方に向け連結された第２揺動梃４Ｆ１と、この第２揺動梃４Ｆ１と後方機枠５Ａとの間に張設された調整機構５Ｃとから構成され、この調整機構５Ｃの先端は後方機枠５Ａに対して昇降調整自在に連結されている根菜茎葉処理装置の切断厚さ調整装置である。
【０００７】
この場合、下記のように構成することができる。
第１．後方機枠５Ａは、縦板５Ａ１と、この縦板の上端を内方に折曲げた上板５Ａ２とからなり、縦板５Ａ１には縦長穴５Ａ３が開設され、上板にはハンドル付きスクリュー５Ｅ４が昇降調整自在に貫通されている。
【０００８】
第２．調整機構５Ｃは、前後方向に進退調整自在に構成されている。
すなわち、調整機構５Ｃは前のロットネジ５Ｃ１およびこれと一体となった略コ字形の箱金５Ｃ２と、箱金に内設されたコイルスプリング５Ｃ３と、略コ字形の箱金５Ｃ２とコイルスプリング５Ｃ３を貫通し、コイルスプリングに対し垂直にこれを押さえる棒状の突起５Ｃ４１のついたハンドル付きストッパーピン５Ｃ４と、前のロットネジ５Ｃ１に回動自在の状態で貫通され、等角度間隔にハンドル付きストッパーピンの入る溝５Ｃ５４が複数開いたナイフアジャスト５Ｃ５と、ナイフアジャスト５Ｃ５に対して進退自在に螺合された後のロットネジ５Ｃ６から構成され、後のロットネジ５Ｃ６は、第２揺動梃４Ｆ１の上端に後方上軸４Ｈ３と平行な後方端軸５Ｄで連結されている。
前のロットネジ５Ｃ２の先端には当該調整機構とは直交状態で前方端軸５Ｅが連結され、前方端軸５Ｅにおける外方部分５Ｅ１は縦長穴５Ａ３を貫通して外方端には締付ハンドル５Ｅ１１が螺合され、内方部分５Ｅ２にはハンドル付きスクリュー５Ｅ４が螺合されている。
【０００９】
作用について説明する。
１．圃場内の根菜等の茎葉頚冠部にフィーラホイール３Ｅが回転接触すると、地上露出高に応じて茎葉頚冠部上にフィーラホイール３Ｅは押し上げられる。
調整機構５Ｃの前方端がイの位置でフィーラホイール３Ｅが押し上げられたとき、縦ブラケット４Ｃも同時に上昇する。
そのとき、調整機構５Ｃはフィーラホイールフレーム３Ｄに対して平行でないため前方に引っ張られ、第１、第２揺動梃４Ｆ、４Ｆｌを介した上下動するビーム４Ｅは押し下げられて、切断刃４Ｅｌとフィーラホイール３Ｅに間隔ができる。
２．調整機構５Ｃの前方端をハンドル付きスクリュー５Ｅ４でスライドさせ軸止位置をロの位置にすると、さらに調整機構５Ｃは引っ張られ、切断刃４Ｅｌとフィーラホイール３Ｅの間隔は拡大する。
調整機構５Ｃの前方端の軸止位置をハの位置にすると、調整機構５Ｃとフィーラホイールフレーム３Ｄは平行状態となり、フィーラホイール３Ｅが上下してもフィーラホイール３Ｅと切断刃４Ｅｌの間隔は変わらない。
３．調整機構５Ｃのハンドル付きストッパーピン５Ｃ４をコイルスプリング５Ｃ３の張力に反して引っ張り、直角に回すと箱金５Ｃ２の段差５Ｃ２１、５Ｃ２２にハンドル付きストッパーピンの突起５Ｃ４１が引っかかりナイフアジャスト５Ｃ５が回動自在な状態となる。
４．調整機構５Ｃのナイフアジャスト５Ｃ５を回転させ後のロットネジ５Ｃ６を縮めると、第１、第２揺動梃４Ｆ、４Ｆ１を介したビーム４Ｅは押し下げられて、切断刃４Ｅ１とフィーラホイール３Ｅの間隔Ｓは拡大する。
また、上記とは逆に調整機構５Ｃのナイフアジャスト５Ｃ５を回転させ後のロットネジ５Ｃ６を伸ばすと、第１、第２揺動梃４Ｆ、４Ｆ１を介したビーム４Ｅは引き上げられて、切断刃４Ｅ１とフィーラホイール３Ｅの間隔Ｓは狭くなる。
【００１０】
５．ハンドル付きストッパーピン５Ｃ４を直角に回すと、ハンドル付きストッパーピンの突起５Ｃ４１が箱金の段差５Ｃ２１、５Ｃ２２から外れ、凹部分５Ｃ２３に収まり、コイルスプリング５Ｃ３の張力によってナイフアジャスト５Ｃ５に押さえ付けられる。
このとき、ナイフアジャスト５Ｃ５を回転させると、ハンドル付きストッパーピン５Ｃ４の先端５Ｃ４２がコイルスプリング５Ｃ３の張力でナイフアジャストの溝５Ｃ５４に挿入されナイフアジャスト５Ｃ５の回り止めとなる。
６．ナイフアジャスト５Ｃ５の回転による後のロットネジ５Ｃ６の伸縮とハンドル付きストッパーピンの先端５Ｃ４２がナイフアジャストの溝５Ｃ５４に挿入され回り止めとなることの複合作用で間隔Ｓの段階的な調整が可能である。
【００１１】
【発明の実施の形態】
本発明の実施の形態を実施例にもとづき図面を参照して説明する。
１は本発明の根菜茎葉処理装置の切断厚さ調整装置で、走行部２と、茎葉処理部３と、切断刃部４と、支持高さ調整部５とから構成されている。
走行部２は、進行方向である前方に対して垂直に起立されたトップリンクマスト２Ａと、このトップリンクマストの下端に斜め下方に向け連結された車輪用フレーム２Ｂと、この車輪用フレームの後端に取付けられた車輪２Ｃとから構成されている。２Ｃ１は車軸である。
【００１２】
茎葉処理部３は、トップリンクマスト２Ａの側方位置をもって当該トップリンクマストと平行に連結支持された機枠３Ａと、この機枠の前方面に連設されたロワーリンクアーム３Ｂと、機枠３Ａの上方位置をもって進行方向とは直交方向の上方軸３Ｃで揺動自在に支持されたフィーラホイールフレーム３Ｄと、このフィーラホイールフレームに上方軸と平行なフィーラホイール軸（図示略）で支持されたフィーラホイール３Ｅとから構成されている。
３Ｆはフィーラホイールフレームの後端に設けられたクリーナである。３Ｆ１はクリーナ軸である。
【００１３】
切断刃部４は、機枠３Ａの下方位置に上方軸３Ｃと平行な下方軸４Ａで揺動自在に支持されたリンク桿４Ｂと、フィーラホイールフレーム３Ｄにフィーラホイール軸（図示略）と同芯位置のブラケット軸４Ｄで支持された縦ブラケット４Ｃと、この縦ブラケットの前面に平行な状態で配されたビーム４Ｅと、これらを連結する上方の第１揺動梃４Ｆと下方のアーム４Ｇとは、前方上軸４Ｈ１、前方下軸４Ｈ２、後方上軸４Ｈ３、後方下軸４Ｈ４で連結され、さらに、後方下軸４Ｈ４はリンク桿４Ｂの後端と連結され、ビーム４Ｅの下端には切断刃取付部４Ｅ２を介して切断刃４Ｅ１が取付けられている。
【００１４】
支持高さ調整部５は、機枠３Ａの後方面に連設された後方機枠５Ａと、上方の第１揺動梃４Ｆに斜め上方に向け連結された第２揺動梃４Ｆ１と、この第２揺動梃４Ｆ１と後方機枠５Ａとの間に張設された調整機構５Ｃとから構成されている。
後方機枠５Ａは、縦板５Ａ１とこの縦板の上端を内方に折曲げた上板５Ａ２とからなり、縦板５Ａ１には縦長穴５Ａ３が開設され、上板５Ａ２にはハンドル付きスクリュー５Ｅ４が昇降自在に貫通されている。
【００１５】
調整機構５Ｃは、前のロットネジ５Ｃ１と、箱金５Ｃ２と、コイルスプリング５Ｃ３と、ハンドル付きストッパーピン５Ｃ４と、ナイフアジャスト５Ｃ５と、後のロットネジ５Ｃ６とから構成されている。
Ａ．前のロットネジ５Ｃ１は、先端には前方端軸５Ｅと連結するための水平なピン孔５Ｃ１１が開設されている。
Ｂ．箱金５Ｃ２は、略コ字形に構成され、後方縦辺には凹部分５Ｃ２３を中心として上下の段差５Ｃ２１、５Ｃ２２が形成され、前方縦辺と凹部分５Ｃ２３の中心には前後のストッパーピン挿通孔が開設されている。
Ｃ．コイルスプリング５Ｃ３は、箱金５Ｃ２内における前後のストッパーピン挿通孔間に配設されている。
Ｄ．ハンドル付きストッパーピン５Ｃ４は、前のストッパーピン挿通孔、コイルスプリング５Ｃ３、後のストッパーピン挿通孔を貫通して先端５Ｃ４２が箱金５Ｃ２より突出する状態で装着されていると共に、当該ハンドル付きストッパーピン５Ｃ４の後方部分には、コイルスプリング５Ｃ３が上下の段差５Ｃ２１、５Ｃ２２の内側までに圧縮した位置で上下の段差に係脱する棒状の突起５Ｃ４１が取付けられている。
Ｅ．ナイフアジャスト５Ｃ５は、円盤体５Ｃ５１とこの円盤体の後面に脚５Ｃ５２を介して連設された連結板５Ｃ５３から構成され、円盤体５Ｃ５１の外周に等角度間隔をもってストッパーピンの入る溝５Ｃ５４が刻設され、当該円盤体５Ｃ５１の中心には前のロットネジ５Ｃ１の後方部分が回動自在の状態で貫通して支持されている。
Ｆ．後のロットネジ５Ｃ６は、ナイフアジャスト５Ｃ５における連結板５Ｃ５３の中心に対して進退自在に螺合されている。
そして、後端には後方端軸５Ｄと連結するための水平なピン孔５Ｃ６１が開設されている。
【００１６】
【発明の効果】
本発明は上述の通り構成されているので次に記載する効果を奏する。
１．根菜類の頚冠部の葉痕跡は、おおむね根部の肥大と地上露出高に比例するが、圃場においては地上露出高や肥大は不均一で、また、圃場により地上露出高に著しく差異が生じる。
このような差異に対して、フィーラホイールと切断刃の間隔調整が不適正のときには頚冠部の切断厚さの過大や過小現象を生じる。このため最良の状態で作業を行うためには、その年の生育状況や圃場内の生育、土壌条件等の差異に応じて切断刃とフィーラホイールの間隔調整をこまめに行うことが必要である。
本発明のものでは、ハンドル付きストッパーピンを解除し、ナイフアジャストを手で回すだけでフィーラホイールと切断刃の間隔を瞬時に調整することができる。このため調整時間の短縮による実作業時間の増加と、圃場内の条件にこまめに対応することが可能となり、労働時間の短縮および収量増による経済効果は大きい。
２．このほか、安価に製造できる、経済的である、などの効果をも有するものである。
【図面の簡単な説明】
【図１】本発明のものの側面図である。
【図２】後方機枠とハンドル付きスクリューの関係を示す正面図である。
【図３】調整機構の拡大斜視図である。
【図４】調整機構の走行作業時の状態を示す１部を省略した側面図である。
【図５】調整機構の切断厚さ調整時の状態を示す１部を省略した側面図である。
【図６】作用を説明する側面図である。
【図７】作用を説明する側面図である。
【図８】本発明における要部拡大側面図である。
【図９】フィーラホイール上昇による調整機構の作用を示す側面図である。
【符号の説明】
１  根菜茎葉処理装置の切断厚さ調整装置
２  走行部
３  茎葉処理部
４  切断刃部
５  支持高さ調整部
【図１】
2004329044.tif 000003
【図２】
2004329044.tif 000004
【図３】
2004329044.tif 000005
【図４】
2004329044.tif 000006
【図５】
2004329044.tif 000007
【図６】
2004329044.tif 000008
【図７】
2004329044.tif 000009
【図８】
2004329044.tif 000010
【図９】
2004329044.tif 000011